(57)【要約】【課題】施錠したい時に、合鍵が手元に存在しない場合であっても、筒状操作体を回すだけで簡単に錠前を施錠することができること。【解決手段】サムターン取付け筒１１に、ストッパー部１５と、このストッパー部１５を基準にして周方向に案内長孔１６とをそれぞれ形成し、またサムターン取付け筒１１に外嵌合する筒状操作体２１の制御部２２に、係止面２４ａを有する制御係合部２４と、可動ロック片用案内溝２５をそれぞれ形成し、また案内溝２５に前記ストッパー部１５と係脱する可動ロック片３１と、該可動ロック片を係合方向へ付勢する付勢バネ３４とをそれぞれ組込み、またサムターン取付け筒１１に解錠用合鍵Ｋ１の操作によって作動する回転体３６を内装し、さらに回転体３６には、案内長孔１６を貫通して係止面２４ａに当接可能な可動ロック片係合解除用可動ピン３９を設けたこと。【選択図】　図１
2004124524.tif 000002
【特許請求の範囲】
【請求項１】
固定部材としてのサムターン取付け筒１１の中空胴部１２に、ストッパー部１５と、このストッパー部１５を基準にして周方向に案内長孔１６とをそれぞれ形成し、また前記中空胴部１２に外嵌合する筒状操作体２１の制御部２２に、係止面を有する制御係合部２４と、可動ロック片用案内溝２５をそれぞれ形成し、また前記案内溝２５に前記ストッパー部１５と係脱する可動ロック片３１と、該可動ロック片を係合方向へ付勢する付勢バネ３４とをそれぞれ組込み、またサムターン取付け筒１１に解錠用合鍵Ｋ１の操作によって作動する回転体３６を内装し、さらに前記回転体３６には、前記案内長孔１６を貫通して前記係止面２４ａに当接可能な可動ロック片係合解除用可動ピン３９を設け、施錠の際には前記筒状操作体２１を指で施錠方向へ回転操作すると、可動ロック片３１は案内溝２５に案内されながら付勢バネ３４のバネ力により突出してストッパー部１５に係合し、該筒状操作体２１は解錠方向への回転が阻止され、一方、解錠の際には、前記解錠用合鍵Ｋ１の操作による可動ピンの移動に伴い可動ロック片３１は付勢バネ３４のバネ力に抗して係合解除の方向へ後退することを特徴とする錠前用サムターン装置。
【請求項２】
請求項１に於いて、筒状操作体２１は、サムターン取付け筒１１の中空胴部１２に回転可能に装着される筒状制御部２２と、この筒状制御部２２の外端部外周壁に突設された指掛け操作部２３とから成ることを特徴とする錠前用サムターン装置。
【請求項３】
請求項１に於いて、可動ロック片３１は、端部に可動ピンと摺接するカム面３２ａを有する第１嵌合指部３２と、この第１嵌合指部３２と交差方向に連設し、かつ、突出端部にストッパー部１５に係脱する係合爪部３３ａを有する第２嵌合指部３３とから成ることを特徴とする錠前用サムターン装置。
【請求項４】
請求項１に於いて、サムターン取付け筒１１の中空胴部１２の外周壁に凹所を形成し、一方、施錠時に該凹所と対向する山形状の凹所を筒状操作体２１Ａの筒状制御部２２Ａの内壁面に形成し、前記凹所には、クリック機構構成部材を組み込んだことを特徴とする錠前用サムターン装置。
【請求項５】
請求項１に於いて、回転体３６は、サムターン取付け筒１１から外れないようにサムターン取付け筒１１の後端部内周壁に形成した係止溝１７に係合する弾性止め具４１にその外端面が支持されていることを特徴とする錠前用サムターン装置。
【請求項６】
請求項１に於いて、扉１に取付けられた錠箱には、合鍵の操作によって施・解錠可能な外側のシリンダー錠６が、錠箱内の駆動カム８を介し、サムターンシリンダー錠３５と同軸上に設けられていることを特徴とする錠前用サムターン装置。
【発明の詳細な説明】
【０００１】
【発明の属する技術分野】
本発明は、錠前用サムターン装置に関する。
【０００２】
【従来の技術】
近年、扉の隙間（チリ）、ドアスコープなどから針金や紐部材を差込み、サムターン装置を構成する摘み操作体（通称、「サムターン」）を操作し、錠前を不正解錠する手口が増えている。このような不正解錠の対策として、錠前用サムターン装置にも室内側シリンダーを内蔵し、合鍵で室内側シリンダーを施・解錠する考え方が、例えば特開平１１−９３４８２号公報に提案されている。
【０００３】
この公報に記載の発明の課題は、外部から室内側の不正な解錠操作を困難にし、就寝時、外出時等における防犯効果の向上を図ることである。そこで、従来の錠前用サムターン装置は、錠前の錠箱に内外のシリンダー錠をそれぞれ同軸上に取付け、外側のシリンダー錠のみならず、内側のサムターンシリンダー錠も、「合鍵」がなければ解錠しないように構成している。
【０００４】
確かに、上記実施例は、「合鍵」がなければサムターンシリンダー錠を解錠状態にすることができないという点で防犯性に優れているといえよう。しかしながら、合鍵が手元にない場合にはサムターンシリンダー錠を直ちに施錠状態にすることができないという問題点がある。
【０００５】
【発明が解決しようとする課題】
本発明の第１の目的は、上記に記載した従来実施例の発明の課題を生かしながら、さらに、施錠したい時に、たまたま合鍵が手元に存在しない場合であっても、筒状操作体を回すだけで簡単に錠前を施錠することができる錠前用サムターン装置を提供することである。第２の目的は、合鍵が存在しない限り、サムターン装置を容易に解錠することができないようにすることである。特に、ガラスを有する扉に錠前が取付けられている場合に於いて、侵入者によってガラスを割られた場合であっても、筒状操作体を解錠方向へ容易に回すことができず、サムターン装置を解錠するための合鍵が必要である。これによって、外部からの不正な解錠を防止することができる。第３の目的は、各部材を合理的に組み合わせることである。
【０００６】
【課題を解決するための手段】
本発明の錠前用サムターン装置は、固定部材としてのサムターン取付け筒１１の中空胴部１２に、ストッパー部１５と、このストッパー部１５を基準にして周方向に案内長孔１６とをそれぞれ形成し、また前記中空胴部１２に外嵌合する筒状操作体２１の制御部２２に、係止面を有する制御係合部２４と、可動ロック片用案内溝２５をそれぞれ形成し、また前記案内溝２５に前記ストッパー部１５と係脱する可動ロック片３１と、該可動ロック片を係合方向へ付勢する付勢バネ３４とをそれぞれ組込み、またサムターン取付け筒１１に解錠用合鍵Ｋ１の操作によって作動する回転体３６を内装し、さらに前記回転体３６には、前記案内長孔１６を貫通して前記係止面２４ａに当接可能な可動ロック片係合解除用可動ピン３９を設け、施錠の際には前記筒状操作体２１を指で施錠方向へ回転操作すると、可動ロック片３１は案内溝２５に案内されながら付勢バネ３４のバネ力により突出してストッパー部１５に係合し、該筒状操作体２１は解錠方向への回転が阻止され、一方、解錠の際には、前記解錠用合鍵Ｋ１の操作による可動ピンの移動に伴い可動ロック片３１は付勢バネ３４のバネ力に抗して係合解除の方向へ後退することを特徴とする。
【０００７】
【発明の実施の形態】
図１乃至図９は、本発明の第１実施例を示す各説明図である。まず、図１を参照に本発明の環境部材を説明する。なお、図１は本発明の技術的思想を説明するための概略説明図であるから、扉の厚さ寸法、扉に対する錠前を構成する各部材の取付け位置は設計図面通りではない。また、本発明の特定要件に関係のない部分や部材は簡略ないし省略してある。
【０００８】
さて、Ｘは住宅、施設、事務所、管理室等の出入り口（非常口も含む）の扉１に取付けられた錠前である。本発明の錠前用サムターン装置２は屋内側３の扉面１ａに突出状態に取付けられる。
【０００９】
したがって、４は屋外、５は屋外側の扉面１ｂに突出状態に取付けられ、かつ、内部に複数個のピンタンブラーを有するシリンダー錠６を内蔵したシリンダー取付け筒である。
【００１０】
７は扉１の自由端部に埋め込まれた錠箱、８は錠箱７に受け座を介して所定量回転自在に設けられた駆動カム（当業者用語では「ダルマ」）、９は駆動カム８の駆動力により出没する施錠片（当業者用語では「デッドボルト」）である。デッドボルト９は、図示しない戸枠側のストライクに係脱する。
【００１１】
本発明の錠前用サムターン装置２は、後述するサンターン取付け筒にシリンダー錠を内蔵しているが、普通一般に室内（サムターン）側のシリンダー錠の駆動軸と屋外側のシリンダー錠６のそれとは同軸に位置し、いずれか一方を回転させると、デッドボルト９は錠箱７のフロントを基準にして出没する。すなわち、内外のシリンダー錠の駆動軸は、互いに連動するように機械的に連結されており、いずれか一方の鍵Ｋ，Ｋ１を操作すると、駆動カム８が回転し、その係合駆動腕によりデッドボルト９が出没（施・解錠）する。
【００１２】
次に本発明の錠前用サムターン装置２を構成する主要部材について説明する。１１は一端部側が扉１の内壁面１ａから突出し、一方、他端部が錠箱７の幅広側壁に形成した嵌合孔に嵌合するように扉１に固定されたサムターン取付け筒である。この固定部材としてのサムターン取付け筒１１は、図２（説明の便宜上、先端部側かつ底面側から見た斜視図）及び図３（説明の便宜上、後端部側かつ平面側から見た斜視図）で示すように、長筒状の中空胴部１２と、この中空胴部１２の先端部側の開口を一部塞ぐ環状部１３とから成る。
【００１３】
しかして、１４，１４は中空胴部１２の後端部外周壁の一部に対称的に突設された嵌合突起で、これらの嵌合突起１４，１４は、前述した錠箱７の嵌合孔に嵌合する。１５は前記嵌合突起１４の一つ、又は中空胴部１２の後端部外周壁の一部に小突起状に設けられたストッパー部で、このストッパー部１５は後述する可動ロック片を介してサムターンシリンダー並びに回転体の解錠方向への回転を阻止する。
【００１４】
１６はストッパー部１５を基準にして中空胴部１２の後端部外周壁の一部に形成された案内長孔で、この案内長孔１６は、本実施例では図１で示すように扉１に対する取付け状態に於いて、中空胴部１２の底面側に形成されている。
【００１５】
図２はサムターン取付け筒１１の説明の便宜上、先端部側かつ底面側から見た斜視図であるが、この図２から明らかなように、案内長孔１６は嵌合突起１４の内壁面の略中央部に突起状に形成されたストッパー部１５の前方直下に位置するように中空胴部１２の周方向に弧状に形成されている。なお、１７はサムターン取付け筒１１の中空胴部１２の後端部内周壁にリング状に形成された弾性止め具用係止溝である。
【００１６】
２１はサムターン取付け筒１１に外嵌合するハンドル部材としての筒状操作体で、この筒状操作体２１は、図４及び図５で示すようにサムターン取付け筒１１の中空胴部１２に回転可能に装着される筒状制御部２２と、この筒状制御部２２の外端部外周壁の一部に対称的に突設された複数個の山形状指掛け操作部２３とから成る。
【００１７】
しかして、２４は前記筒状制御部２２の内端部の外周壁に周方向に沿って一部形成された制御係合部（例えば長孔、切欠部など）で、この制御係合部２４は、図４を基準にすると、係止面の一例としての一方の係止切欠端面２４ａと、この係止切欠端面２４ａと対向する他方の切欠端面２４ｂと、これらの切欠端面２４ａ，２４ｂの間の弧状切欠端面２４ｃとをそれぞれ有している。
【００１８】
また筒状操作体２１は、内端部の内周壁に可動ロック片３１の形状に適合する案内溝２５を有する。この案内溝２５は、図５で示すように、例えば周方向に一部形成された第１遊嵌合溝２５ａと、この第１遊嵌合溝２５ａと直交する第２嵌合溝２５ｂとから成り、可動ロック片３１をサムターン取付け筒１１のストッパー部１５に対して係脱する方向に案内する。なお、前記第２嵌合溝２５ｂは、可動ロック片３１の係合爪部が突出するように内端面まで至っている。
【００１９】
３１は可動ロック片である。この可動ロック片３１は、前述したように案内溝２５にスライド自在に遊嵌合する。したがって、本実施例では、可動ロック片３１はサムターン取付け筒１１の中空胴部１２の外壁面に添設状態で筒状操作体２１の筒状制御部２２の案内溝２５に係脱方向（後述の駆動軸４０の軸方向）にスライド自在に組み込まれている。
【００２０】
しかして、可動ロック片３１は、図６で示すように案内溝２５の第１遊嵌合溝２５ａに遊嵌合するやや弧状の第１嵌合指部３２と、この嵌合指部３２に直交状態に連設しかつ案内溝２５の第２嵌合溝２５ｂに嵌合する人差し指状の第２嵌合指部３３とから成り、前記第２嵌合指部３３の外端部には、サムターン取付け筒１１のストッパー部１５と係脱する刃先状の係合爪部３３ａが形成されている。３４は可動ロック片３１を一方向（係脱方向）に常時付勢する付勢バネ（例えばコイルバネ）で、この付勢バネ３４は、筒状操作体２１の案内溝２５に適宜収納されている。
【００２１】
次にサムターン取付け筒１１に内装されたサムターンシリンダー錠３５並びに回転体３６について説明する。第１実施例の錠前用サムターン装置２の筒状操作体２１はもっぱら錠前を施錠するために、一方、合鍵Ｋ１はもっぱら錠前を解錠するために用いられている。したがって、本実施例では解錠用合鍵Ｋ１との関係で、サムターン取付け筒１１にはサムターンシリンダー錠３５が組み込まれている。これにより、錠前用サムターン装置２は、用途如何を問わず、両面シリンダーの錠前として用いることができる。
【００２２】
さて、サムターンシリンダー錠３５は、解錠用合鍵Ｋ１のステム部を挿入するための挿入溝、ピンタンブラー等を有し、外側のシリンダー錠６と特段異なる点は存在しない。したがって、その詳細な説明は割愛する。
【００２３】
円柱状回転体３６は、図１で示すようにサムターン取付け筒１１の後端部側に内装されている。この回転体３６は、図４で示すように、内端部の端面中央部に軸方向に向かってマイナス状の係合溝３７を有する。この係合溝３７には図示しないシリンダー錠６の回転軸或いはクラッチ機構を構成する部材が係合する。また回転体３６は、外周壁の一部にメネジ３８を有している。
【００２４】
しかして、前記メネジ３８にはサムターン取付け筒１１の案内長孔１６から突出し、かつ、筒状操作体２１の切欠部２４内に至る可動ロック片係合解除用可動ピン３９が取り外し可能に螺合している。そして、回転体３６の外端面の中央部には駆動軸４０が設けられている。また回転体３６は、サムターン取付け筒１１から外れないように前述した係止溝１７に係合する弾性止め具４１（例えばＣ型リング）にその外端面が支持される。
【００２５】
次に図７乃至図９を参照に本発明の作用について説明する。図７は錠前Ｘの解錠時における筒状操作体２１の指掛け操作部２３の位置を示す。また図８は、錠前Ｘが解錠状態（可動ロック片３１がストッパー部１５から係合解除された状態）から施錠状態（可動ロック片３１がストッパー部１５に係止された状態）になる場合を示す。
【００２６】
本実施例では、解錠状態の時、（イ）筒状操作体２１の山形状指掛け操作部２３は略上下に位置し、（ロ）可動ロック片係合解除用可動ピン３９は、サムターン取付け筒１１のストッパー部１５の一方側から離れて案内長孔１６の一方側の切欠端面１６ａに当接し、（ハ）筒状操作体２１の一方の係止切欠端面２４ａは、前記案内長孔１６の一方側の切欠端面１６ａと略上下に一致し、（ニ）可動ロック片３１は、可動ピン３９にその第１嵌合指部３２の周方向縁辺が押されることにより、付勢バネ３４のバネ力に抗して筒状操作体２１内へと後退している。（ホ）この時、合鍵Ｋ１はサムターンシリンダー錠３５に差し込まれているが、錠前を解錠状態にした時は、抜き取ることができる。
【００２７】
そこで、上記解錠状態から施錠状態にする場合には、（ａ）筒状操作体２１の指掛け操作部２３に指を掛け、そのまま図７の矢印方向へ略９０度回す、なお、回転角度に関しては多少余裕がある。この時合鍵Ｋ１を使用せず、筒状操作体２１を指で回して施錠状態にする。これにより施錠時、筒状操作体２１の山形状指掛け操作部２３は左右に位置し、（ｂ）施錠時、可動ロック片係合解除用可動ピン３９は、サムターン取付け筒１１のストッパー部１５の他方側から離れて案内長孔１６の他方側の切欠端面１６ｂに当接し、（ｃ）筒状操作体２１の他方の切欠端面２４ｂは、案内長孔１６の他方側の切欠端面１６ｂから離れる反面、筒状操作体２１の一方の係止切欠端面２４ａは、前記他方側の切欠端面１６ｂに可動ピン３９を挟むように対向し、（ｄ）可動ロック片３１は可動ピン３９がその第１嵌合指部３２の周方向縁辺から離れることにより、付勢バネ３４のバネ力により筒状操作体２１から突出し、その係合爪部３３ａがサムターン取付け筒１１のストッパー部１５に係止される。
【００２８】
なお、本実施例では可動ピン３９の第１嵌合指部３３の端部は傾斜状に形成され、この傾斜状のカム面３２ａに可動ピン３９が摺接可能である。
【００２９】
一方、図９は、施錠状態から解錠状態にする場合を示す。つまり、可動ロック片３１がストッパー部１５に係止された状態から係合解除された状態である。施錠状態の時は、筒状操作体２１を図７の矢印とは反対の方向に回そうとしても、可動ロック片３１の係合爪部３３ａがサムターン取付け筒１１のストッパー部１５に係合していることから、回すことができない。本実施例では、回転体３６を回すための合鍵Ｋ１が必要である。
【００３０】
そこで、サムターンシリンダー錠３５に合鍵Ｋ１を差し込み、合鍵Ｋ１を当然解錠方向へと回す訳であるが、ここで合鍵Ｋ１の操作により回転体３６が回り始めると、可動ピン３９が可動ロック片３１の傾斜状のカム面３２ａに当りなから次第に第１嵌合指部３２の周方向縁辺に至る。
【００３１】
その結果、可動ピン３９は案内溝２５に案内されながら、可動ロック片３１を付勢バネ３４のバネ力に抗して後退する。可動ロック片３１が筒状操作体２１の内部へと後退すると、その係合爪部３３ａはストッパー部１５から離れる（係合解除）。そこで、そのまま合鍵Ｋ１を回すと、可動ピン３９が筒状操作体２１の係止切欠端面２４ａを押すことになるので、筒状操作体２１は前述した解錠位置へと回転する。
【００３２】
このように、本実施例では、施錠の際には指で筒状操作体２１を施錠方向へ回転操作すると、可動ロック片３１は案内溝２５に案内されながら付勢バネ３４のバネ力により突出してストッパー部１５に係合し、該筒状操作体２１は解錠方向への回転が阻止され、一方、解錠の際には、前記解錠用合鍵Ｋ１の操作による可動ピンの移動に伴い可動ロック片３１は付勢バネ３４のバネ力に抗して係合解除の方向へ後退する。
【００３３】
【実施例】
第１実施例に於いて、ストッパー部１５は後端部外周壁の一部に周方向に突壁状に設けても良い。また、サムターンシリンダー錠３５は、回転体３６と一体又は別体でも良い。要は用語の如何に拘わらず、合鍵Ｋ１の操作により回転体３６が解錠方向に回転すればよい。また、筒状操作体２１の筒状制御部２２に形成された制御係合部２４は、周方向に形成された案内長孔であっても良い。
【００３４】
次に、特定発明に対して特定の関係（主要部）を有する第２実施例について説明する。なお、第２の実施例の説明にあたって、第１実施例と同一又は同様（機能が同一）の部分には、同一又は同様の符号を付し、重複する説明を省略する。
【００３５】
図１０及び図１１に示す第２実施例のサムターン装置２Ａに於いて、第１実施例と主に異なる点は、サムターン取付け筒１１Ａの中空胴部１２の外周壁に凹所５１を形成し、一方、施錠時に該凹所５１と対向する山形或いは曲面状の凹所５２を筒状操作体２１Ａの筒状制御部２２Ａの内壁面に形成し、前記凹所には、クリック機構構成部材を組み込んだことである。
【００３６】
しかして、クリック機構構成部材としては、サムターン取付け筒１１Ａの凹所５１に組み込んだクリックバネ５３と、このクリックバネ５３により付勢され、かつ、ストッパー部１５に可動ロック片３１の係合爪部３３ａが係合可能な状態になった時（錠前の施錠時）に筒状操作体２１Ａの曲面状の凹所５２に係合するロケット頭部型クリック係合体５４とから成る。このように構成すると、施錠時にクリック感を得ることができる。
【００３７】
【発明の効果】
以上の説明から明らかなように、本発明にあっては、次に列挙するような効果がある。
（１）従来実施例の発明の課題を生かしながら、さらに、施錠したい時に、たまたま合鍵が手元に存在しない場合であっても、筒状操作体を回すだけで簡単に錠前を施錠することができる。
（２）合鍵が存在しない限り、サムターン装置を容易に解錠することができないようにするができる。特に、ガラスを有する扉に錠前が取付けられている場合に於いて、侵入者によってガラスを割られた場合であっても、筒状操作体を解錠方向へ容易に回すことができず、サムターン装置を解錠するための合鍵が必要である。これによって、外部からの不正な解錠を防止することができる。
（３）錠前用サムターン装置２は、施設用、居住用、管理事務所用などその用途を問わず、両面シリンダーの錠前として用いることができる。
【図面の簡単な説明】
図１乃至図９は本発明の第１実施例を示す各説明図。図１０及び図１１は、特定発明に対して特定の関係（主要部）を有する第２実施例である。
【図１】実施環境を含む使用状態の一例を示す概略説明図。
【図２】主たる部材（サムターン取付け筒）の先端部側かつ底面側から見た斜視図。
【図３】主たる部材（サムターン取付け筒）の後端部側かつ平面側から見た斜視図。
【図４】主たる部材の分解斜視図。
【図５】図４と対比した主たる部材の概略説明図。
【図６】主たる部材（可動ピン、可動ロック片、付勢バネなど）の概略説明図。
【図７】主たる部材（操作体）の操作態様を示す正面図。
【図８】解錠状態から施錠状態になる場合の概略説明図。
【図９】施錠状態から解錠状態になる場合の概略説明図。
【図１０】第２実施例の図１と同様な概略説明図。
【図１１】要部の概略説明図。
【符号の説明】
Ｘ…錠前、１…扉、２…サムターン装置、３…屋内、４…屋外、５…シリンダー取付け筒、６…シリンダー錠、７…錠箱、８…駆動カム、９…施錠片、１１…サムターン取付け筒、１２…中空胴部、１３…環状部、１４…嵌合突起、１５…ストッパー部、１６…案内長孔、１７…弾性止め具用係止溝、２１…筒状操作体、２２…筒状制御部、２３…操作部、２４…制御係合部、２４ａ…係止面、２５…案内溝、２５ａ…第１遊嵌合溝、２５ｂ…第２嵌合溝、３１…可動ロック片、３２…第１嵌合指部、３２ａ…カム面、３３…第２嵌合指部、３３ａ…係合爪部、３４…付勢バネ、３５…サムターンシリンダー錠、３６…回転体、３７…係合溝、３８…メネジ、３９…可動ロック片係合解除用可動ピン、４０…駆動軸、４１…止め具。
【図１】
2004124524.tif 000003
【図２】
2004124524.tif 000004
【図３】
2004124524.tif 000005
【図４】
2004124524.tif 000006
【図５】
2004124524.tif 000007
【図６】
2004124524.tif 000008
【図７】
2004124524.tif 000009
【図８】
2004124524.tif 000010
【図９】
2004124524.tif 000011
【図１０】
2004124524.tif 000012
【図１１】
2004124524.tif 000013